(57)【要約】【課題】  負荷装置および電源装置本体の障害時および障害を未然に防ぐように監視センターに情報を通知するネットワーク電源システムを提供する。【解決手段】  装置をネットワークに接続して使用するネットワーク電源システムであって、電源装置または負荷装置の異常情報および警告情報をネットワークを介して監視センターに通知し、該監視センターから前記電源装置の監視を行うことを特徴とするネットワーク電源システム。【選択図】  図１
2009081932.tif 000002
【特許請求の範囲】
【請求項１】
電源装置をネットワークに接続して使用するネットワーク電源システムであって、電源装置または負荷装置の異常情報および警告情報をネットワークを介して監視センターに通知し、該監視センターから前記電源装置の監視を行うことを特徴とするネットワーク電源システム。
【請求項２】
前記電源装置または負荷装置の異常情報を検知した場合は、負荷装置をシャットダウンするとともに、電源装置を停止することを特徴とする請求項１に記載のネットワーク電源システム。
【請求項３】
前記電源装置の警告情報を検知した場合は、該警告情報を前記監視センターから利用者に通知することを特徴とする請求項１または請求項２に記載のネットワーク電源システム。
【請求項４】
前記監視センターにて、前記電源装置の動作状態を監視し、消費電力、消耗品の交換時期などの情報を監視することを特徴とする請求項１乃至請求項３の何れか１項に記載のネットワーク電源システム。
【発明の詳細な説明】
【技術分野】
【０００１】
本発明は、電源装置をネットワークに接続して使用するネットワーク電源システムに関する。
【背景技術】
【０００２】
電源装置をネットワークに接続して使用するネットワーク電源システムに関しては従来から種々の提案がなされている。
【０００３】
例えば、特開２００２−２８７５８７号公報（下記特許文献１）には、バッテリ交換促進システムは、顧客会社２０に設置された無停電電源装置（ＵＰＳ；Uninterruptible Power Supply、以下、「ＵＰＳ」ともいう。）、ユーザ用コンピュータ及び管理者用コンピュータ等と、サービスセンタに設置されたセンタ用コンピュータとから構成され、ユーザ用コンピュータは、モニタリングプログラムに基づいて、センタ用コンピュータに対して、(i)ＵＰＳの使用開始日等のバッテリ管理情報をオンラインによる自動ユーザ登録時に送信したり、(ii)バッテリ時期が迫ってきた旨をバッテリ交換予告通報として送信したりし、センタ用コンピュータは、ユーザ用コンピュータからバッテリ交換予告通報を受けた場合には、その連絡と併せて、バッテリ交換に要する費用を記載した見積書を電子メールで管理者用コンピュータに送信することにより、無停電電源装置のバッテリ交換が確実に実施されることを可能とする無停電電源装置及びバッテリ交換促進システムが記載されている。
【０００４】
しかし、この特許文献１に記載された従来の電源装置は、使用者が電源装置の製品寿命、消耗品の管理を行うものであり、電源装置および電源装置に繋がる負荷装置の異常時処理もユーザ任せで、メーカとして迅速な処置・対応、障害を未然に防止することができないという問題点があった。
【０００５】
また、電源装置を扱う利用者が電源装置の製品寿命、消耗品の管理に悩まされていたうえ、電源装置および電源装置に繋がる負荷装置の異常時処理もユーザ任せで、電源装置メーカとして迅速な処置・対応、障害を未然に防止することができないという問題点があった。
【特許文献１】特開２００２−２８７５８７号公報
【発明の開示】
【発明が解決しようとする課題】
【０００６】
本発明は、前述のような従来技術の問題点を解決し、負荷装置および電源装置本体の障害時および障害を未然に防ぐように監視センターに情報を通知するネットワーク電源システムを提供することを課題とする。
【課題を解決するための手段】
【０００７】
本発明は、前述のような従来技術の問題点を解決し、電源装置および負荷装置とコミュニケーション可能なネットワーク機能を付加し、監視センターにネットワークを介して通知し、監視センターが遠隔から電源装置の管理を行うことで、電源の動作状態を監視し、電源装置本体の異常・警告を検知することで、負荷装置および電源装置本体の障害害を未然に防ぐことができるネットワーク電源システムを提供するものであり、その要旨とするところは特許請求の範囲に記載した通りの下記内容である。
（１）電源装置をネットワークに接続して使用するネットワーク電源システムであって、
電源装置または負荷装置の異常情報および警告情報をネットワークを介して監視センターに通知し、
該監視センターから前記電源装置の監視を行うことを特徴とするネットワーク電源システム。
（２）前記電源装置または負荷装置の異常情報を検知した場合は、負荷装置をシャットダウンするとともに、電源装置を停止することを特徴とする（１）に記載のネットワーク電源システム。
（３）前記電源装置の警告情報を検知した場合は、該警告情報を前記監視センターから利用者に通知することを特徴とする（１）または（２）に記載のネットワーク電源システム。
（４）前記監視センターにて、前記電源装置の動作状態を監視し、消費電力、消耗品の交換時期などの情報を監視することを特徴とする（１）乃至（３）の何れか１項に記載のネットワーク電源システム。
＜作用＞
（１）の発明によれば、電源装置または負荷装置の異常情報および警告情報をネットワークを介して監視センターに通知し、該監視センターから前記電源装置の監視を行うので、電源の動作状態を監視し、電源装置本体の異常・警告を検知することで、負荷装置および電源装置本体の障害を未然に防ぐことができる。
【０００８】
（２）の発明によれば、電源装置または負荷装置の異常情報を検知した場合は、負荷装置をシャットダウンするので、負荷装置の障害を未然に防ぐことができる。
【０００９】
（３）の発明によれば、電源装置の警告情報を検知した場合は、該警告情報を前記監視センターから利用者に通知することにより、利用者による作状況の監視が容易である。
【００１０】
（４）監視センターにて、前記電源装置の動作状態を監視し、消費電力、消耗品の交換時期などの情報を監視することにより、電源装置の操作、運用、管理が容易である。
【発明の効果】
【００１１】
本発明によれば、電源装置および負荷装置とコミュニケーション可能なネットワーク機能を付加し、電源の動作状態を監視し、電源装置本体の異常を検知することで、負荷装置および電源装置本体の障害時に電源を制御し、トラブルを最小限に抑制することができる。
【００１２】
また消耗品の交換および寿命、電源装置のトラブルを監視センターから監視し、利用者に通知することにより、利用者の管理負担を軽減し、さらには、障害を未然に防止することが可能となるなど、産業上有用な著しい効果を奏する。
【発明を実施するための最良の形態】
【００１３】
本発明のネットワーク電源システムを実施するための最良の形態について図１乃至図４を用いて詳細に説明する。
【００１４】
図１は、本発明のネットワーク電源システムの実施形態を例示する図である。
【００１５】
図１において、１は負荷装置、２は電源装置、３はネットワーク接続部、４はネットワーク、５は監視センター、６は利用者を示す。
【００１６】
図１に示すように、サーバーやセキュリティ装置など種々の用途に用いられる負荷装置１に電源を供給する電源装置２はネットワーク接続部３を介してネットワーク４に接続されており、電源装置２の異常情報および警告情報をネットワーク４を介して監視センター５に通知し、該監視センター５から前記電源装置２の監視を行うことを特徴とする。
【００１７】
電源装置２はバッテリーを備えており、例えばＡＣ電源が停電になった場合でも電源の供給を継続できるバックアップ電源装置などである。
【００１８】
電源装置２は消耗品であり、一定期間ごとに交換を行うが、交換時期前に故障することがあるため、電源装置または負荷装置の異常情報および警告情報をネットワーク４を介して監視センター５に通知し、該監視センター５から前記電源装置２の監視を行うことにより、電源の動作状態を監視し、電源装置本体の異常・警告を検知することで、負荷装置および電源装置本体の障害を未然に防ぐことができる。
【００１９】
この電源装置または負荷装置の異常情報および警告情報の検知および検知情報に基づく制御は、監視センター５に摂設置する端末にインストールしたソフトウェアを用いて行うこともできるが、電源装置２をネットワークに接続するネットワーク接続部３のハードウェアに異常情報および警告情報の検知機能および制御機能を組み込むことにより、ソフトウェアのインストールや更新の手間を省くことができる。
【００２０】
前記電源装置２の異常情報を検知した場合は、ネットワーク接続部３に組み込まれた制御機構により負荷装置１をシャットダウンするとともに、電源装置２を停止することにより、負荷装置の障害を未然に防ぐことができる。
【００２１】
電源装置２の警告情報を検知した場合は、該警告情報を前記監視センター５から利用者６に通知することにより、利用者による作状況の監視が容易である。
【００２２】
監視センター５にて、電源装置２の動作状態を監視し、消費電力、消耗品の交換時期などの情報を監視することにより、電源装置の操作、運用、管理が容易である。
【００２３】
図２は、本発明に用いる電源異常情報を例示する図である。
【００２４】
図２に例示する情報は、電源装置の作動継続が困難な状況を示す情報であり、この異常情報を検知した場合には、負荷装置をシャットダウンするとともに電源を停止する。
【００２５】
図３は、本発明に用いる電源警告情報を例示する図である。
【００２６】
図３に例示する情報は、電源装置の作動は継続できるが、注意しながら操作する必要があることを示す情報であり、この警告情報を検知した場合には、必要に応じて利用者の端末にメッセージを通知する。
【００２７】
図４は、本発明のネットワーク電源システムの処理フローを例示する図である。
【００２８】
まず、電源装置をネットワークに接続するネットワーク接続部に組み込まれた検知装置により、電源異常情報および電源警告情報を検出する（Ｓ−１）。
【００２９】
次に、検知した電源異常情報および電源警告情報をネットワークを介して監視センターの端末に通知する（Ｓ−２）。
【００３０】
検知された情報が前述の図２に示すような電源異常かどうか判定し（Ｓ−３）、電源異常の場合には、負荷装置をシャットダウンし（Ｓ−４）、利用者に通知するとともに（Ｓ−７）、電源を停止する（Ｓ−５）。
【００３１】
本発明においては、電源異常かどうかの判定方法は問わないが、例えば、図２に示す電源異常情報のいずれかを検知した場合に電源異常と判定することが好ましい。
【００３２】
検知された情報が電源異常でない場合には利用者に通知が必要かどうか判定し（Ｓ−６）、通知が必要な場合には、利用者の端末に警告メッセージを通知する（Ｓ−７）。
【００３３】
本発明においては、利用者に通知が必要かどうかの判定方法は問わないが、例えば、図３に示す電源警告情報のいずれかを検知した場合に利用者への通知が必要と判定することが好ましい。
【００３４】
本発明のネットワーク電源システムは、電源装置にネットワーク機能を付加し、ユーザ希望によりWEBブラウザを使用し、利用者情報を監視センターに登録をする。その時点で監視契約を締結し、監視サービスを開始する。監視センターからの監視により、電源装置または負荷装置の異常があった場合は負荷装置とネットワーク部とのコミュニケーションにより、負荷装置を安全に停止してから、電源装置を停止し、その旨を監視センターより利用者にネットワーク経由と電話や電子メールで通知する。
【００３５】
また製品寿命や消耗品などの交換時期を監視センタから監視し、その旨を監視センターより利用者にネットワーク経由と電話や電子メールで通知することにより電源装置の故障を予防することができ、さらには電源装置メーカとして迅速な処置・対応が可能となる。
【図面の簡単な説明】
【００３６】
【図１】本発明のネットワーク電源システムの実施形態を例示する図である。
【図２】本発明に用いる電源異常情報を例示する図である。
【図３】本発明に用いる電源警告情報を例示する図である。
【図４】本発明のネットワーク電源システムの処理フローを例示する図である。
【符号の説明】
【００３７】
１  負荷装置
２  電源装置
３  ネットワーク接続部
４  ネットワーク
５  監視センター
６  利用者
【図１】
2009081932.tif 000003
【図２】
2009081932.tif 000004
【図３】
2009081932.tif 000005
【図４】
2009081932.tif 000006